(57)【要約】      （修正有）【課題】耐久性、防水性、フィット感を向上させることができる時計バンドの提供。【解決手段】時計バンド１０は、弾性率が３０ＧＰａ以上７０ＧＰａ以下、弾性限が２％以上２０％以下の金属ガラスで構成された単一の部品である第１バンド１１と、第２バンド１２とを備える。金属ガラスを用いているため、手首に時計１を装着した際に手首に沿ってしなやかに弾性変形し、フィット感を向上できる。さらに、それぞれが単一の部品であるため、金属駒バンドに比べて生産性を容易に向上できる。【選択図】図１
2020062190.tif 000002
【特許請求の範囲】
【請求項１】
弾性率が３０ＧＰａ以上７０ＧＰａ以下、弾性限が２％以上２０％以下の金属ガラスで構成された単一の部品であることを特徴とする時計バンド。
【請求項２】
請求項１に記載の時計バンドにおいて、
時計ケースに取り付けられる基端部と、前記基端部の反対側の端部である先端部と、前記基端部および前記先端部間に設けられる中間部とを有し、
前記中間部は、前記基端部から前記先端部に向かって湾曲して形成されている
ことを特徴とする時計バンド。
【請求項３】
弾性率が３０ＧＰａ以上７０ＧＰａ以下、弾性限が２％以上２０％以下の金属ガラスで構成された単一の部品である第１バンドと、
弾性率が３０ＧＰａ以上７０ＧＰａ以下、弾性限が２％以上２０％以下の金属ガラスで構成された単一の部品である第２バンドと、を備える
ことを特徴とする時計バンド。
【請求項４】
請求項３に記載の時計バンドにおいて、
前記第１バンドおよび前記第２バンドを連結する連結装置を備える
ことを特徴とする時計バンド。
【請求項５】
請求項３または請求項４に記載の時計バンドにおいて、
前記第１バンドおよび前記第２バンドは、
時計ケースに取り付けられる基端部と、前記基端部の反対側の端部である先端部と、前記基端部および前記先端部間に設けられる中間部とを有し、
前記中間部は、前記基端部から前記先端部に向かって湾曲して形成されている
ことを特徴とする時計バンド。
【請求項６】
請求項３から請求項５のいずれか一項に記載の時計バンドにおいて、
前記第１バンドおよび前記第２バンドは、
時計ケースに取り付けられる基端部と、前記基端部の反対側の端部である先端部と、前記基端部および前記先端部間に設けられる中間部とを有し、
前記先端部は、前記中間部に比べて厚さ寸法が大きい
ことを特徴とする時計バンド。
【請求項７】
請求項１から請求項６のいずれか一項に記載の時計バンドにおいて、
前記金属ガラスは、Ｐｔ、Ａｕ、Ｔｉ、Ｍｇ、Ｐｄ、Ｚｒをベースにした金属ガラスである
ことを特徴とする時計バンド。
【請求項８】
請求項１から請求項７のいずれか一項に記載の時計バンドにおいて、
前記金属ガラスは、硬度がＨｖ３００以上Ｈｖ５００以下である
ことを特徴とする時計バンド。
【請求項９】
請求項１から請求項８のいずれか一項に記載の時計バンドにおいて、
前記時計バンドの表面および裏面の少なくとも一方の面には、前記時計バンドの幅方向に沿った溝が形成されている
ことを特徴とする時計バンド。
【請求項１０】
弾性率が３０ＧＰａ以上７０ＧＰａ以下、弾性限が２％以上２０％以下の金属ガラスで一体に成形された時計ケースおよび時計バンドを備える
ことを特徴とする時計用外装部品。
【請求項１１】
請求項１０に記載の時計用外装部品において、
前記時計バンドは、前記時計ケースと一体に形成された第１バンドおよび第２バンドを備える
ことを特徴とする時計用外装部品。
【請求項１２】
請求項１１に記載の時計用外装部品において、
前記第１バンドおよび前記第２バンドを連結する連結装置を備える
ことを特徴とする時計用外装部品。
【請求項１３】
請求項１１または請求項１２に記載の時計用外装部品において、
前記第１バンドおよび前記第２バンドは、
前記時計ケースに連続して形成される基端部と、前記基端部の反対側の端部である先端部と、前記基端部および前記先端部間に設けられる中間部とを有し、
前記中間部は、前記基端部から前記先端部に向かって湾曲して形成されている
ことを特徴とする時計用外装部品。
【請求項１４】
請求項１１から請求項１３のいずれか一項に記載の時計用外装部品において、
前記第１バンドおよび前記第２バンドは、
前記時計ケースに連続して形成される基端部と、前記基端部の反対側の端部である先端部と、前記基端部および前記先端部間に設けられる中間部とを有し、
前記先端部は、前記中間部に比べて厚さ寸法が大きい
ことを特徴とする時計用外装部品。
【請求項１５】
請求項１０に記載の時計用外装部品において、
前記時計バンドは、前記時計ケースに一体に形成された一本のバンドで構成されている
ことを特徴とする時計用外装部品。
【請求項１６】
請求項１５に記載の時計用外装部品において、
前記バンドは、
前記時計ケースに連続して形成される基端部と、前記基端部の反対側の端部である先端部と、前記基端部および前記先端部間に設けられる中間部とを有し、
前記中間部は、前記基端部から前記先端部に向かって湾曲して形成されている
ことを特徴とする時計用外装部品。
【請求項１７】
請求項１０から請求項１６のいずれか一項に記載の時計用外装部品において、
前記時計ケースは、リング状に形成されたケース本体と、前記ケース本体に一体に形成された文字板とを備える
ことを特徴とする時計用外装部品。
【請求項１８】
請求項１０から請求項１７のいずれか一項に記載の時計用外装部品において、
前記金属ガラスは、Ｐｔ、Ａｕ、Ｔｉ、Ｍｇ、Ｐｄ、Ｚｒをベースにした金属ガラスである
ことを特徴とする時計用外装部品。
【請求項１９】
請求項１０から請求項１８のいずれか一項に記載の時計用外装部品において、
前記金属ガラスは、硬度がＨｖ３００以上Ｈｖ５００以下である
ことを特徴とする時計用外装部品。
【請求項２０】
請求項１０から請求項１９のいずれか一項に記載の時計用外装部品において、
前記時計バンドの表面および裏面の少なくとも一方の面には、前記時計バンドの幅方向に沿った溝が形成されている
ことを特徴とする時計用外装部品。
【請求項２１】
時計ケースと、
弾性率が３０ＧＰａ以上７０ＧＰａ以下、弾性限が２％以上２０％以下の金属ガラスの単一の部品で構成されて、前記時計ケースに取り付けられる第１バンドと、
弾性率が３０ＧＰａ以上７０ＧＰａ以下、弾性限が２％以上２０％以下の金属ガラスの単一の部品で構成されて、前記時計ケースに取り付けられる第２バンドと、を備える
ことを特徴する時計。
【請求項２２】
時計ケースと、
弾性率が３０ＧＰａ以上７０ＧＰａ以下、弾性限が２％以上２０％以下の金属ガラスの単一部品で構成されて、前記時計ケースに取り付けられる時計バンドと、を備える
ことを特徴する時計。
【請求項２３】
弾性率が３０ＧＰａ以上７０ＧＰａ以下、弾性限が２％以上２０％以下の金属ガラスで一体に成形された時計ケースおよび時計バンドを備える
ことを特徴とする時計。
【発明の詳細な説明】
【技術分野】
【０００１】
本発明は、時計バンド、時計用外装部品および時計に関する。
【背景技術】
【０００２】
時計バンドとしては、特許文献１に記載されたように、金属製の駒を連結して構成される金属駒バンドや、特許文献２に記載されたように、革バンドや樹脂バンドが用いられている。
【先行技術文献】
【特許文献】
【０００３】
【特許文献１】特開２００１−１１２５１８号公報
【特許文献２】特開２０１１−１９３９４０号公報
【発明の概要】
【発明が解決しようとする課題】
【０００４】
金属駒バンドは、金属駒自体は変形せず、金属駒の連結部分のみで折り曲がるため、金属駒バンドを手首に装着した際に、バンドと手首との間に隙間が生じ、フィット感を向上させることが難しいという課題がある。
革バンドや樹脂バンドは、バンド全体が湾曲するため、金属駒バンドに比べてフィット感を向上させやすいが、金属駒バンドに比べて、耐久性、防水性が低下し、金属感も得られないという課題がある。
【課題を解決するための手段】
【０００５】
本開示の時計バンドは、弾性率が３０ＧＰａ以上７０ＧＰａ以下、弾性限が２％以上２０％以下の金属ガラスで構成された単一の部品である。
【０００６】
本開示の時計バンドは、時計ケースに取り付けられる基端部と、前記基端部の反対側の端部である先端部と、前記基端部および前記先端部間に設けられる中間部とを有し、前記中間部は、前記基端部から前記先端部に向かって湾曲して形成されていてもよい。
【０００７】
本開示の時計バンドは、弾性率が３０ＧＰａ以上７０ＧＰａ以下、弾性限が２％以上２０％以下の金属ガラスで構成された単一の部品である第１バンドと、弾性率が３０ＧＰａ以上７０ＧＰａ以下、弾性限が２％以上２０％以下の金属ガラスで構成された単一の部品である第２バンドと、を備える。
【０００８】
本開示の時計バンドにおいて、前記第１バンドおよび前記第２バンドを連結する連結装置を備えていてもよい。
【０００９】
本開示の時計バンドにおいて、前記第１バンドおよび前記第２バンドは、時計ケースに取り付けられる基端部と、前記基端部の反対側の端部である先端部と、前記基端部および前記先端部間に設けられる中間部とを有し、前記中間部は、前記基端部から前記先端部に向かって湾曲して形成されていてもよい。
【００１０】
本開示の時計バンドにおいて、前記第１バンドおよび前記第２バンドは、時計ケースに取り付けられる基端部と、前記基端部の反対側の端部である先端部と、前記基端部および前記先端部間に設けられる中間部とを有し、前記先端部は、前記中間部に比べて厚さ寸法が大きいものでもよい。
【００１１】
本開示の時計バンドにおいて、前記金属ガラスは、Ｐｔ、Ａｕ、Ｔｉ、Ｍｇ、Ｐｄ、Ｚｒをベースにした金属ガラスであることが好ましい。
【００１２】
本開示の時計バンドにおいて、前記金属ガラスは、硬度がＨｖ３００以上Ｈｖ５００以下であることが好ましい。
【００１３】
本開示の時計バンドにおいて、前記時計バンドの表面および裏面の少なくとも一方の面には、前記時計バンドの幅方向に沿った溝が形成されていてもよい。
【００１４】
本開示の時計用外装部品は、弾性率が３０ＧＰａ以上７０ＧＰａ以下、弾性限が２％以上２０％以下の金属ガラスで一体に成形された時計ケースおよび時計バンドを備える。
【００１５】
本開示の時計用外装部品において、前記時計バンドは、前記時計ケースと一体に形成された第１バンドおよび第２バンドを備えるものでもよい。
【００１６】
本開示の時計用外装部品において、前記第１バンドおよび前記第２バンドを連結する連結装置を備えていてもよい。
【００１７】
本開示の時計用外装部品において、前記第１バンドおよび前記第２バンドは、前記時計ケースに連続して形成される基端部と、前記基端部の反対側の端部である先端部と、前記基端部および前記先端部間に設けられる中間部とを有し、前記中間部は、前記基端部から前記先端部に向かって湾曲して形成されていてもよい。
【００１８】
本開示の時計用外装部品において、前記第１バンドおよび前記第２バンドは、前記時計ケースに連続して形成される基端部と、前記基端部の反対側の端部である先端部と、前記基端部および前記先端部間に設けられる中間部とを有し、前記先端部は、前記中間部に比べて厚さ寸法が大きいものでもよい。
【００１９】
本開示の時計用外装部品において、前記時計バンドは、前記時計ケースに一体に形成された一本のバンドで構成されていてもよい。
【００２０】
本開示の時計用外装部品において、前記バンドは、前記時計ケースに連続して形成される基端部と、前記基端部の反対側の端部である先端部と、前記基端部および前記先端部間に設けられる中間部とを有し、前記中間部は、前記基端部から前記先端部に向かって湾曲して形成されていてもよい。
【００２１】
本開示の時計用外装部品において、前記時計ケースは、リング状に形成されたケース本体と、前記ケース本体に一体に形成された文字板とを備えるものでもよい。
【００２２】
本開示の時計用外装部品において、前記金属ガラスは、Ｐｔ、Ａｕ、Ｔｉ、Ｍｇ、Ｐｄ、Ｚｒをベースにした金属ガラスであることが好ましい。
【００２３】
本開示の時計用外装部品において、前記金属ガラスは、硬度がＨｖ３００以上Ｈｖ５００以下であることが好ましい。
【００２４】
本開示の時計用外装部品において、前記時計バンドの表面および裏面の少なくとも一方の面には、前記時計バンドの幅方向に沿った溝が形成されていてもよい。
【００２５】
本開示の時計は、時計ケースと、弾性率が３０ＧＰａ以上７０ＧＰａ以下、弾性限が２％以上２０％以下の金属ガラスの単一の部品で構成されて、前記時計ケースに取り付けられる第１バンドと、弾性率が３０ＧＰａ以上７０ＧＰａ以下、弾性限が２％以上２０％以下の金属ガラスの単一の部品で構成されて、前記時計ケースに取り付けられる第２バンドと、を備える。
【００２６】
本開示の時計は、時計ケースと、弾性率が３０ＧＰａ以上７０ＧＰａ以下、弾性限が２％以上２０％以下の金属ガラスの単一部品で構成されて、前記時計ケースに取り付けられる時計バンドと、を備えるものでもよい。
【００２７】
本開示の時計は、弾性率が３０ＧＰａ以上７０ＧＰａ以下、弾性限が２％以上２０％以下の金属ガラスで一体に成形された時計ケースおよび時計バンドを備えるものでもよい。
【図面の簡単な説明】
【００２８】
【図１】第１実施形態の時計を示す概略斜視図である。
【図２】第１実施形態の時計の手首装着状態を示す概略斜視図である。
【図３】第１実施形態の変形例を示す概略斜視図である。
【図４】第２実施形態の時計を示す概略斜視図である。
【図５】第２実施形態の時計を示す概略側面図である。
【図６】第３実施形態の時計を示す概略斜視図である。
【図７】第３実施形態の時計を示す概略断面図である。
【図８】第３実施形態の時計の手首装着状態を示す概略斜視図である。
【図９】第４実施形態の時計を示す概略斜視図である。
【図１０】第５実施形態の時計を示す概略斜視図である。
【図１１】第６実施形態の時計を示す概略斜視図である。
【図１２】第６実施形態の変形例を示す概略斜視図である。
【図１３】第７実施形態の時計を示す概略断面図である。
【図１４】変形例の時計を示す概略斜視図である。
【図１５】変形例の時計を示す概略斜視図である。
【図１６】変形例の時計の手首装着状態を示す概略斜視図である。
【図１７】変形例の時計の手首装着状態を示す概略斜視図である。
【発明を実施するための形態】
【００２９】
［第１実施形態］
第１実施形態の時計１を図１、２に基づいて説明する。
時計１は、図１に示すように、ムーブメントを収納する時計ケース１０１と、前記時計ケース１０１に取り付けられた時計バンド１０とを備える腕時計である。なお、時計ケース１０１内に収納されるムーブメントは、水晶振動子、電池、モーター、輪列、指針などを備える水晶式ムーブメントでもよいし、ぜんまい、がんき車、アンクル、輪列、指針などを備える機械式ムーブメントでもよい。さらに、時計ケース１０１には、指針を備えないデジタル表示装置を収納してもよい。
時計ケース１０１は、ステンレススティール、イエローゴールド、プラチナ、チタン等の時計において用いられる一般的な材質の時計ケースが利用できる。さらに、時計ケース１０１は、後述する時計バンド１０と同様な金属ガラスで構成してもよい。
【００３０】
時計バンド１０は、時計ケース１０１の１２時側に取り付けられる第１バンド１１と、時計ケース１０１の６時側に取り付けられる第２バンド１２とを備えている。
第１バンド１１は、弾性率が３０ＧＰａ以上７０ＧＰａ以下、弾性限が２％以上２０％以下の金属ガラスで構成された単一の部品である。第２バンド１２は、第１バンド１１と同じく、弾性率が３０ＧＰａ以上７０ＧＰａ以下、弾性限が２％以上２０％以下の金属ガラスで構成された単一の部品である。ここで、単一の部品とは、一枚の板材で構成された部品を意味し、金属駒バンドのように複数の金属製の駒が連結される部品ではないことを意味する。すなわち、第１バンド１１および第２バンド１２は、それぞれ帯状に形成された一枚の平板で構成されている。
【００３１】
第１バンド１１および第２バンド１２を構成する金属ガラスとしては、Ｐｔ、Ａｕ、Ｔｉ、Ｍｇ、Ｐｄ、Ｚｒをベースにした金属ガラスを利用できる。具体的には、Ｚｒ５５Ａｌ１０Ｎｉ５Ｃｕ３０、Ｍｇ６５Ｃｕ２５Ａｌ１０、Ｐｔ６０Ｃｕ１８Ｐ２２、Ａｕ６５Ｃｕ１５．５Ａｇ７．５Ｓｉ１７、Ｔｉ４３Ｚｒ２Ｈｆ５Ｃｕ４２Ｎｉ７Ｓｉ１（ａｔｍ％）を組成とする金属ガラスを利用できる。なお、通常は、第１バンド１１および第２バンド１２は、同じ組成の金属ガラスで構成すればよいが、第１バンド１１と第２バンド１２とで異なる組成の金属ガラスを用いてもよい。
【００３２】
これらの金属ガラスは、弾性率が３０ＧＰａ以上７０ＧＰａ以下、弾性限が２％以上２０％以下の特性を有する。また、金属ガラスは、硬度がＨｖ３００以上Ｈｖ５００以下の範囲の特性を有することが好ましい。さらに、時計バンド１０を構成する第１バンド１１および第２バンド１２の厚さ寸法や幅寸法は、時計１を手首に装着した際に必要とする保持力に応じて設定される。例えば、時計ケース１０１にムーブメントを収納した時計１の重量が１５０〜２５０ｇ程度の場合、腕に対する時計１の保持力が０．８〜５．０ｋｇの範囲となるように、第１バンド１１および第２バンド１２の厚さ寸法や幅寸法が設定される。
【００３３】
金属ガラス製の時計バンド１０に、以上のような特性を必要とする理由は以下の通りである。
弾性率が３０ＧＰａを下回った場合、時計バンド１０は弾性変形しやすくなり、時計ケース１０１を手首に密着させて固定する力が低下する。このため、時計１が手首から外れてしまう可能性がある。
弾性率が７０ＧＰａを上回った場合、時計バンド１０は弾性変形しにくいため、手首に沿って装着させにくくなり、装着感が低下する。
一方、弾性率が３０ＧＰａ以上７０ＧＰａ以下の範囲であれば、時計１を固定する力を確保しつつ、時計バンド１０が適切に弾性変形し、装着感も向上できる。
【００３４】
弾性限が２％を下回った場合は、結晶性金属と同様に、使用中に時計バンド１０に力が加わった場合などに時計バンド１０が破断する可能性がある。また、時計バンド１０を手首に沿って変形させた場合、塑性変形が生じ、元に戻らない場合がある。
弾性限が２０％を上回った場合は、弾性域が大きくなり鍛造、プレスなどの塑性加工を行うことが困難になる。例えば、通常の結晶金属と同じように押し込んでもスプリングバックで元の形状に戻り、加工負荷が上がることに加えて、塑性加工による寸法精度も出なくなる。
一方、弾性限が２％以上２０％以下であれば、使用中の破断が生じにくくなり、塑性変形等も生じず、成形加工時の負荷の増加や寸法精度の低下などを防止できる。
【００３５】
硬度がＨｖ３００を下回った場合、使用中に時計バンド１０が傷つきやすい。硬度がＨｖ５００を上回った場合、時計バンド１０の表面加工が困難となり、加飾性が低下する。このため、時計バンド１０に施すことができる加飾要素が制限される。
一方、硬度がＨｖ３００以上Ｈｖ５００以下であれば、時計バンド１０が傷つくことを防止でき、かつ、加飾性を向上できて加飾要素の制限も少なくできる。
【００３６】
時計バンド１０の製品保持力が０．８ｋｇを下回ると、時計１を保持することができず、時計１が落下するおそれがある。時計バンド１０の製品保持力が５．０ｋｇを上回ると、時計バンド１０を変形させながら手首に装着しにくい。
一方、製品保持力が０．８ｋｇ以上、５．０ｋｇ以下であれば、時計１の落下を防止でき、手首への装着性も向上できる。
【００３７】
金属ガラス製の第１バンド１１および第２バンド１２は、金型を用いた成形加工により成形できる。金型を用いた成形加工としては、射出成形加工および鋳造加工と、過冷却液体状態を用いた加工方法とが利用できる。過冷却液体状態を用いた加工方法としては、鍛造加工、引き抜き成形加工、押出し成形加工、プレス加工等が挙げられる。金属ガラスは高転写性を有するため、それぞれが単一部品の第１バンド１１および第２バンド１２を加工成形する際に、バンド表面の装飾も金型に形成しておくことで、表面加飾も同時に加工できる。
【００３８】
第１バンド１１および第２バンド１２は、それぞれ帯状つまり細長い平板状に形成され、時計ケースに取り付けられる基端部１１１、１２１と、基端部１１１、１２１の反対側の端部である先端部１１２、１２２と、基端部１１１、１２１および先端部１１２、１２２間に設けられる中間部１１３、１２３とを備えている。基端部１１１、１２１には、図示を略すが、バネ棒が挿通される貫通孔が形成されている。このため、時計ケース１０１のカン１０２にバネ棒を用いて第１バンド１１および第２バンド１２を装着でき、金属駒タイプのバンドや、革バンド、樹脂バンドと同様のバンド連結構造を採用できる。
【００３９】
第１バンド１１および第２バンド１２の先端部１１２、１２２には、第１バンド１１および第２バンド１２を連結可能な連結装置１３０が設けられている。連結装置１３０は、第１バンド１１および第２バンド１２の先端部１１２、１２２に固定された永久磁石１３１、１３２で構成される。永久磁石１３１、１３２は、先端部１１２、１２２同士を磁力によって固定する。すなわち、連結装置１３０は、永久磁石１３１、１３２の磁力によって、図２に示すように、第１バンド１１および第２バンド１２を着脱可能に連結する。
【００４０】
［第１実施形態の効果］
時計バンド１０を構成する第１バンド１１および第２バンド１２を、それぞれ金属ガラスで構成された単一の部品で形成しているので、金属駒タイプのバンドに比べて、フィット感を向上できる。すなわち、金属駒で構成されるバンドは、各駒の連結部分のみで折れ曲がるため、手首と時計バンドの各金属駒との間に隙間が生じやすく、手首に装着した際のフィット感に限界がある。これに対し、本実施形態の第１バンド１１および第２バンド１２は、３０ＧＰａ以上７０ＧＰａ以下の低弾性率の金属ガラスを用いているため、手首に時計１を装着した際に手首に沿ってしなやかに弾性変形し、フィット感を向上できる。さらに、金属駒バンドでは、金属駒の連結作業が必要であるため、生産性を向上することが難しいが、第１バンド１１および第２バンド１２はそれぞれが単一の部品であるため、金属駒バンドに比べて生産性を容易に向上できる。
【００４１】
第１バンド１１および第２バンド１２は、金属ガラスで構成されるため、革バンドや樹脂バンドに比べて耐久性、防水性を向上でき、金属感も得られる。
また、金属ガラスは、結晶性合金に比べても硬度を向上できるため、傷が付きにくい。このため、傷によって時計バンド１０の外観を損なうことも防止できる。例えば、Ｐｔ合金の硬度は、Ｈｖ５０以上Ｈｖ１００以下であるのに対し、Ｐｔをベースにした金属ガラスの硬度は、Ｈｖ４００以上Ｈｖ５００以下である。このため、金属ガラス製の第１バンド１１および第２バンド１２の硬度はＨｖ３００以上Ｈｖ５００以下と高いレベルに設定でき、弾性限も２％以上であるため、傷が付きにくく、使用中の破断や塑性変形も生じにくく、壊れにくい高強度の時計バンド１０を提供できる。
【００４２】
第１バンド１１および第２バンド１２は、金属ガラスの金型加工成形で製造できるため、装飾性に優れたバンドを形成できる。特に、金属ガラスは高転写性を有するため、金型に装飾用の模様を形成しておくことで、第１バンド１１および第２バンド１２の金型加工成形時に表面装飾加工も同時に行うことができ、生産性および加飾性を共に向上できる。
金属ガラスは、結晶性金属に比べて融点が低く、鋳造による製造も容易であるため、生産性を向上できる。
金属ガラスは、強度が高いため、第１バンド１１および第２バンド１２の薄肉化が可能となり、時計バンド１０も軽量化できる。
金属ガラスは、熱伝導率が低いため、手首に第１バンド１１および第２バンド１２を装着した際に、冷たく感じることが少ない。このため、時計バンド１０の装着者の冷覚を刺激して装着者に不快感を与えることも防止できる。
金属ガラスは、弾性変形域が大きいため、しなやかさを備えており、傷が付きにくい。このため、時計１を落とした場合などに、時計バンド１０が傷付くことを防止できる。
【００４３】
金属ガラスは、凝固収縮が小さいため、鋳造による形状変化が小さく、高精度の鋳造が可能となる。
金属ガラスは、粘性が低い固体と液体の間の状態である過冷却液体状態にできるため、粘弾性加工が可能となる。すなわち、金属ガラスは、加熱によって過冷却液体の状態にできるため、加熱加工による高変形率加工可能が可能となり、ナノオーダーの高精度転写も実現できる。このため、第１バンド１１および第２バンド１２の表面に細かい装飾を施すこともでき、第１バンド１１および第２バンド１２の高精度仕上げを金型成形加工時に実現できるため、仕上げ作業を軽減できて生産効率を大幅に向上できる。
一方、金属ガラスは、粒界がないため、表面を研磨して仕上げる場合でも、研磨性を向上でき、粒界起因のうねりも無くすことができる。
以上のような特性を有する金属ガラスで第１バンド１１および第２バンド１２を製造することで、金属駒バンドや革バンド、樹脂バンドに比べて様々な特性に優れた時計バンド１０を提供できる。
【００４４】
［第１実施形態の変形例］
第１バンド１１および第２バンド１２を連結する連結装置としては、図３に示すように、第１バンド１１の端部に突起１４１を形成し、第２バンド１２に前記突起１４１が係合される係合孔１４２をバンド１２の長手方向に沿って複数形成し、前記突起１４１をいずれかの係合孔１４２に係合することで、第１バンド１１および第２バンド１２を着脱可能に連結する連結装置１４０を用いてもよい。この連結装置１４０を用いれば、第１バンド１１および第２バンド１２を連結した際の時計バンド１０の長さを、各装着者の手首の太さに応じて調整でき、フィット感をさらに向上できる。
【００４５】
なお、連結装置としては、前記突起１４１と前記係合孔１４２とを時計バンド１０に設けずに、時計バンド１０の一方のバンドの先端部に永久磁石を固定し、他方のバンドの先端部から中間部に亘る表面部に強磁性体（例えばFeとCoがベースの部材）を固定、あるいは永久磁石を固定することで構成してもよい。この連結装置では、一方のバンドの永久磁石を他方のバンドに磁力で固定することで、第１バンド１１および第２バンド１２を着脱可能に連結できる。この場合も、一方のバンドの永久磁石を他方のバンドに固定する位置を変更できるため、第１バンド１１および第２バンド１２を連結した際の時計バンド１０の長さを、各装着者の手首の太さに応じて調整でき、フィット感をさらに向上できる。
【００４６】
［第２実施形態］
第２実施形態の時計２について、図４を参照して説明する。時計２は、時計ケース１０１に取り付けられる時計バンド２０を備える。時計バンド２０は、一端が時計ケース１０１のカン１０２に取り付けられた第１バンド２１および第２バンド２２を備えて構成されている。第１バンド２１および第２バンド２２は、第１実施形態の第１バンド１１および第２バンド１２と同様に、弾性率が３０ＧＰａ以上７０ＧＰａ以下、弾性限が２％以上２０％以下の材料特性を有する金属ガラスの単一部品で構成されている。このため、金属ガラスの具体例も、第１実施形態と同じである。
【００４７】
第１バンド２１および第２バンド２２は、それぞれ各バンド２１、２２の長手方向に沿って湾曲されている。すなわち、第１バンド２１および第２バンド２２は、時計ケース１０１に取り付けられる基端部２１１、２２１と、基端部２１１、２２１の反対側の端部である先端部２１２、２２２と、基端部２１１、２２１および先端部２１２、２２２間に設けられる中間部２１３、２２３とを有する。中間部２１３、２２３は、基端部２１１、２２１から先端部２１２、２２２に向かって湾曲して形成されている。
このため、時計ケース１０１と、第１バンド２１および第２バンド２２とは、図５に示すように、時計２を側面から見た際に、略Ｃ字状となるように形成されている。
この際、第１バンド２１および第２バンド２２の長さ寸法は、女性や子供のように手首Ｗが細いユーザーが時計バンド２０を装着した場合でも、第１バンド２１および第２バンド２２が撓んで広がり、先端部２１２、２２２間に隙間が生じるように設定されている。このため、手首Ｗが太いユーザーが時計バンド２０を装着した場合は、各バンド２１、２２がさらに撓んで広がり、先端部２１２、２２２間の隙間も広くなる。このように装着時に第１バンド２１および第２バンド２２が手首Ｗに沿って弾性変形して撓み、元の形状に戻ろうとする弾性力で第１バンド２１および第２バンド２２は手首Ｗに密着し、時計２は安定して手首Ｗに装着される。
【００４８】
［第２実施形態の効果］
第１バンド２１および第２バンド２２は、それぞれ金属ガラス製の単一部品で構成されているので、前記第１実施形態と同様の作用効果を奏することができる。
また、第１バンド２１および第２バンド２２は、予め湾曲されているので、手首Ｗに巻き付くように装着できる。第１バンド２１および第２バンド２２は、結晶性金属に比べて弾性率が低く、弾性限が高い金属ガラス製であるため、第１バンド２１および第２バンド２２を手首Ｗに装着した場合に、手首Ｗに沿ってしなやかに湾曲する。このため、図５に示すように、第１バンド２１および第２バンド２２と手首Ｗとの間に隙間が生じることがなく、時計バンド２０を手首Ｗに密着できてフィット感を向上できる。
【００４９】
さらに、第１バンド２１および第２バンド２２の先端部２１２、２２２間の間隔が装着者の手首Ｗの太さに応じて調整されるため、手首Ｗの太さの違いを吸収することができる。このため、１種類の長さ寸法の第１バンド２１および第２バンド２２を用意することで、手首Ｗの太さが異なっても装着可能なフリーサイズの時計バンド２０とすることができ、長さ寸法の異なる複数種類の第１バンド２１および第２バンド２２を用意する必要がなく、バンドの種類を少なくできてコストも低減できる。
【００５０】
［第３実施形態］
第３実施形態の時計３について、図６〜８を参照して説明する。時計３は、時計ケース３０１と、時計バンド３０とを有する時計用外装部品３００を備えている。時計用外装部品３００は、弾性率が３０ＧＰａ以上７０ＧＰａ以下、弾性限が２％以上２０％以下の材料特性を有する金属ガラスで一体に構成されている。金属ガラスの具体例は、各実施形態の時計バンド１０、２０と同じである。
時計ケース３０１は、略リング状に形成されたケース本体３０２と、ケース本体３０２内に一体に成形された文字板３０３とを備えている。また、時計バンド３０は、時計ケース３０１の１２時側に取り付けられる第１バンド３１と、時計ケース３０１の６時側に取り付けられる第２バンド３２とを備えている。したがって、時計用外装部品３００は、ケース本体３０２と、文字板３０３と、第１バンド３１と、第２バンド３２とが、金属ガラスで一体に成形されたものである。
【００５１】
図７に示すように、時計ケース３０１のケース本体３０２の表面側の開口には、カバーガラス３０５が取り付けられ、ケース本体３０２の裏面側の開口には、裏蓋３０６が取り付けられる。また、文字板３０３には、ムーブメント３５０の指針軸３５１が挿通される貫通孔３０３Ａが形成されている。さらに、文字板３０３には、文字板の構成要素である時字、ロゴ、目盛等も一体に形成されている。
時計ケース３０１内の空間は、ケース本体３０２に一体に形成された文字板３０３によって２つの空間に区画される。このため、時計３を組み立てる場合、ムーブメント３５０は、時計ケース３０１の裏面側から時計ケース３０１内に配置し、指針軸３５１を貫通孔３０３Ａに挿入する。そして、文字板３０３の表面側に露出する指針軸３５１に、時針、分針、秒針などの各指針３５２を取り付ける。その後、時計ケース３０１のケース本体３０２に、カバーガラス３０５および裏蓋３０６を取り付けて時計３が完成する。
【００５２】
時計ケース３０１に一体に形成される第１バンド３１および第２バンド３２は、時計ケース３０１に連続して形成される基端部３１１、３２１と、基端部３１１、３２１の反対側の端部である先端部３１２、３２２と、基端部３１１、３２１および先端部３１２、３２２間に設けられる中間部３１３、３２３とを有する。中間部３１３、３２３は、第２実施形態の時計バンド２０と同様に、基端部３１１、３２１から先端部３１２、３２２に向かって湾曲して形成されている。
時計ケース３０１と、第１バンド３１および第２バンド３２とは、図７に示すように、時計バンド２０と同様に、時計３を側面から見た際に、略Ｃ字状となるように形成されている。このため、図８に示すように、時計３を装着者の手首に装着した場合、第１バンド３１および第２バンド３２は、装着者の手首に沿って弾性変形して撓み、第１バンド３１および第２バンド３２は手首に密着し、時計３は安定して手首に装着される。
【００５３】
［第３実施形態の効果］
時計バンド３０の第１バンド３１および第２バンド３２は、第２実施形態の時計バンド２０と同様の構成を備えているので、第２実施形態と同様の作用効果を奏することができる。
さらに、時計バンド３０を構成する第１バンド３１および第２バンド３２と、ケース本体３０２と、文字板３０３とを金属ガラスで一体に成形しているので、時計用外装部品３００の強度および意匠性を向上できる。
すなわち、第２実施形態の時計２のように、時計ケース１０１と、時計バンド２０とが別体で構成されている場合、時計ケース１０１と時計バンド２０との接続部に大きな力が加わると、バネ棒がカン１０２から外れたり、変形する可能性がある。これに対し、時計３では、時計ケース３０１と、第１バンド３１および第２バンド３２とが一体に成形されているので、時計ケース３０１と、第１バンド３１および第２バンド３２との接続部に大きな力が加わっても、その力を時計用外装部品３００全体で受けることができる。さらに、文字板３０３がケース本体３０２に一体に成形されるため、リング状の一般的な時計ケースに比べて、文字板３０３がケース本体３０２の変形を抑制する補強板としても機能し、時計ケース３０１の強度を向上できる。したがって、時計用外装部品３００の強度を大幅に向上できる。
【００５４】
また、時計ケース３０１、文字板３０３、時計バンド３０が同一の金属ガラスで構成されるため、時計３の意匠の統一感を高めることができ、高級感も向上できる。
さらに、時計ケース３０１と時計バンド３０とが一体に成形されるため、時計ケース３０１と時計バンド３０との連結部の構造の制約が少なくなり、デザイン性を向上できる。例えば、時計ケースと時計バンドとをバネ棒で連結する場合、時計ケースにカン１０２を形成するなどの制約があり、連結構造や形状も制約される。これに対し、時計ケース３０１と時計バンド３０とが一体であれば、このような制約が少なくなり、特にデザイン性に優れた連結構造を採用することができ、時計３の意匠性も向上できる。
【００５５】
［第４実施形態］
第４実施形態の時計４について、図９を参照して説明する。時計４は、時計ケース４０１と、時計バンド４０とを有する時計用外装部品４００を備えている。時計用外装部品４００は、弾性率が３０ＧＰａ以上７０ＧＰａ以下、弾性限が２％以上２０％以下の材料特性を有する金属ガラスで一体に構成されている。金属ガラスの具体例は、前記各実施形態と同じである。
時計ケース４０１は、略リング状に形成されたケース本体４０２で構成されている。なお、本実施形態の文字板４０３はケース本体４０２と別体に形成されているが、第３実施形態のように、一体に形成されていてもよい。
時計バンド４０は、時計ケース４０１の６時側から連続して形成される１本のバンド４１で構成されている。したがって、時計用外装部品４００は、ケース本体４０２と、バンド４１とが、金属ガラスで一体に成形されたものである。
【００５６】
バンド４１は、時計ケース４０１に連続する基端部４１１と、基端部４１１の反対側の端部である先端部４１２と、基端部４１１および先端部４１２間に設けられる中間部４１３とを有する。中間部４１３は、第２、３実施形態の時計バンド２０、３０と同様に、基端部４１１から先端部４１２に向かって湾曲して形成されている。
バンド４１の先端部４１２は、時計ケース４０１の１２時側の近傍まで延長されているが、時計ケース４０１からは離れて配置されている。このため、時計ケース４０１とバンド４１とは、時計４を側面から見た際に、略Ｃ字状となるように形成されている。
バンド４１の長さ寸法は、女性や子供のように手首が細いユーザーが時計バンド４０を装着した場合でも、バンド４１の先端部４１２と時計ケース４０１との間に隙間が生じるように設定されている。このため、手首が太いユーザーが時計バンド４０を装着した場合は、バンド４１の先端部４１２と時計ケース４０１との間隔は広くなる。
【００５７】
［第４実施形態の効果］
時計ケース４０１およびバンド４１は、金属ガラスの一体に形成されているので、前記第２〜３実施形態と同様の作用効果を奏することができる。
また、バンド４１は、予め湾曲されているので、第２、３実施形態の時計バンド２０、３０と同様に、手首に巻き付くように装着できる。この際、バンド４１は、結晶性金属に比べて弾性率が低く、弾性限が高い金属ガラス製であるため、バンド４１を手首に装着した場合に手首に沿ってしなやかに湾曲し、手首との間に隙間が生じることなく、時計バンド４０を手首に密着させることができる。このため、時計バンド４０のフィット感を向上できる。
【００５８】
バンド４１の先端部と時計ケース４０１との間隔が装着者の手首の太さに応じて調整されるため、手首の太さの違いを吸収することができる。このため、手首の太さが異なっても装着可能なフリーサイズの時計バンド４０とすることができ、バンド４１の長さ寸法が異なる複数種類の時計用外装部品４００を用意する必要がなく、コストも低減できる。
【００５９】
時計バンド４０は、１つのバンド４１のみで構成され、時計ケース４０１の１２時側にバンドを連結する必要が無いため、時計ケース４０１のデザインの制約が少なくなり、時計４の意匠性も向上できる。
【００６０】
［第４実施形態の変形例］
なお、時計用外装部品４００は、時計ケース４０１の６時側にバンド４１を連結していたが、１２時側にバンド４１を連結してもよい。
【００６１】
［第５実施形態］
第５実施形態の時計５について、図１０を参照して説明する。時計５は、時計ケース５０１と、時計バンド５０とが一体に形成された時計用外装部品５００を備えている。時計用外装部品５００は、弾性率が３０ＧＰａ以上７０ＧＰａ以下、弾性限が２％以上２０％以下の材料特性を有する金属ガラスで一体に構成されている。金属ガラスの具体例は、前記各実施形態と同じである。
時計ケース５０１は、略リング状に形成されたケース本体５０２で構成されている。なお、本実施形態の文字板５０３はケース本体５０２と別体に形成されているが、第３実施形態のように、一体に形成されていてもよい。
時計バンド５０は、時計ケース５０１の１２時側から連続して形成される第１バンド５１と、時計ケース５０１の６時側から連続して形成される第２バンド５２とを備えている。したがって、時計用外装部品５００は、ケース本体５０２と、第１バンド５１と、第２バンド５２とが、金属ガラスで一体に成形されたものである。
【００６２】
第１バンド５１および第２バンド５２は、時計ケース５０１に連続する基端部５１１、５２１と、基端部５１１、５２１の反対側の端部である先端部５１２、５２２と、基端部５１１、５２１および先端部５１２、５２２間に設けられる中間部５１３、５２３とを有する。中間部５１３、５２３は、第３実施形態の時計バンド３０と同様に、基端部５１１、５２１から先端部５１２、５２２に向かって湾曲して形成されている。
第１バンド５１および第２バンド５２の先端部５１２、５２２は、中間部５１３、５２３に比べて厚さ寸法が大きな厚肉部とされている。
【００６３】
［第５実施形態の効果］
時計バンド５０の第１バンド５１および第２バンド５２は、第３実施形態の時計バンド３０と同様の構成を備えているので、第３実施形態と同様の作用効果を奏することができる。
さらに、第１バンド５１および第２バンド５２の先端部５１２、５２２を厚肉部としているので、ムーブメントを内蔵する時計ケース５０１の重量と、第１バンド５１および第２バンド５２の先端部５１２、５２２の重量との差を、時計バンド３０に比べて小さくできる。このため、時計５を手首に装着した際の安定感を向上できる。
【００６４】
［第６実施形態］
第６実施形態の時計６について、図１１を参照して説明する。時計６は、時計ケース６０１と、時計バンド６０とが一体に形成された時計用外装部品６００を備えている。時計用外装部品６００は、弾性率が３０ＧＰａ以上７０ＧＰａ以下、弾性限が２％以上２０％以下の材料特性を有する金属ガラスで一体に構成されている。金属ガラスの具体例は、前記各実施形態と同じである。
時計ケース６０１は、略リング状に形成されたケース本体６０２で構成されている。なお、本実施形態の文字板６０３はケース本体６０２と別体に形成されているが、第３実施形態のように、一体に形成されていてもよい。
時計バンド６０は、時計ケース６０１の１２時側から連続して形成される第１バンド６１と、時計ケース６０１の６時側から連続して形成される第２バンド６２とを備えている。したがって、時計用外装部品６００は、ケース本体６０２と、第１バンド６１と、第２バンド６２とが、金属ガラスで一体に成形されたものである。
【００６５】
第１バンド６１および第２バンド６２は、時計ケース６０１に連続して形成される基端部６１１、６２１と、基端部６１１、６２１の反対側の端部である先端部６１２、６２２と、基端部６１１、６２１および先端部６１２、６２２間に設けられる中間部６１３、６２３とを有する。中間部６１３、６２３は、第２〜４実施形態の時計バンド２０、３０、４０と同様に、基端部６１１、６２１から先端部６１２、６２２に向かって湾曲して形成されている。
第１バンド６１および第２バンド６２の表面には、第１バンド６１および第２バンド６２の幅方向に沿って設けられた複数の溝６３が形成されている。第１バンド６１および第２バンド６２の幅方向は、各バンド６１、６２の表面において、基端部６１１、６２１から先端部６１２、６２２に向かう長手方向に対して直交する方向である。
溝６３は、第１バンド６１および第２バンド６２の長手方向に沿ってほぼ等間隔に形成され、この溝６３によって、第１バンド６１および第２バンド６２は、それぞれ湾曲しやすい構造とされている。
【００６６】
［第６実施形態の効果］
時計バンド６０の第１バンド６１および第２バンド６２は、第３実施形態の時計バンド３０と同様の構成を備えているので、第３実施形態と同様の作用効果を奏することができる。
さらに、第１バンド６１および第２バンド６２は、表面に溝６３が形成されているため、各バンド６１、６２を容易に湾曲させることができる。このため、時計バンド６０を手首に装着した際のフィット感をより一層向上することができる。
【００６７】
［第６実施形態の変形例］
時計バンド６０では、第１バンド６１および第２バンド６２の表面に溝６３を形成していたが、図１２に示す時計６の時計バンド６０Ｂのように、第１バンド６１Ｂおよび第２バンド６２Ｂの裏面に溝６４を形成してもよい。さらに、図示は省略するが、第１バンド６１および第２バンド６２の表面および裏面の両方に、溝６３、６４を形成してもよい。
【００６８】
［第７実施形態］
第７実施形態の時計７について、図１３を参照して説明する。時計７は、時計ケース７０１と、時計バンド７０とが一体に形成された時計用外装部品７００を備えている。時計用外装部品７００は、弾性率が３０ＧＰａ以上７０ＧＰａ以下、弾性限が２％以上２０％以下の材料特性を有する金属ガラスで一体に構成されている。金属ガラスの具体例は、前記各実施形態と同じである。
時計ケース７０１は、略リング状に形成されたケース本体７０２で構成されている。なお、文字板はケース本体７０２と別体に形成してもよいし、一体に形成してもよい。
時計バンド７０は、時計ケース７０１の１２時側に取り付けられる第１バンド７１と、時計ケース７０１の６時側に取り付けられる第２バンド７２とを備えている。したがって、時計用外装部品７００は、ケース本体７０２と、第１バンド７１と、第２バンド７２とが、金属ガラスで一体に成形されたものである。
【００６９】
第１バンド７１および第２バンド７２の表面および裏面には、半球状の複数の凸部７３、７４がそれぞれ形成されている。表面および裏面における各凸部７３、７４は、第１バンド７１および第２バンド７２の長手方向および長手方向に直交する幅方向にそれぞれ所定のピッチで配置されている。また、表面の凸部７３と、裏面の凸部７４とは、長手方向および幅方向に半ピッチずれて配置されている。
【００７０】
［第７実施形態の効果］
第７実施形態の時計バンド７０によれば、第１バンド７１および第２バンド７２の表面および裏面の両方に、複数の凸部７３、７４が形成されているので、各バンド７１、７２の強度を確保しつつ、バンド７１、７２を容易に湾曲させることができる。また、時計バンド７０は、半球状の凸部７３、７４が形成されているため、意匠性に優れた時計バンドとすることができる。
【００７１】
［他の実施形態］
なお、本発明は前述の実施形態に限定されるものではなく、本発明の目的を達成できる範囲での変形、改良等は本発明に含まれるものである。
時計バンドのデザインとしては、前記各実施形態に限定されない。例えば、図１４に示すように、第１バンド８１および第２バンド８２を備える金属ガラス製の時計バンド８０に、複数の穴８３を形成してもよい。穴８３は、穴形成用の突起部を有する金型を用いることで、第１バンド８１および第２バンド８２の金型加工成形時に同時に形成できる。
時計バンド８０に穴８３を形成することで、時計バンドを軽量化でき、かつ、通気性およびデザイン性も向上できる。
【００７２】
また、図１５に示すように、時計バンド８５を構成する第１バンド８６および第２バンド８７を、各バンド８６、８７の長手方向に沿って幅寸法が増減するように構成してもよい。なお、バンド８６、８７には、穴８８も形成されている。
時計バンド８５の幅寸法を変化させることで、時計バンドを軽量化でき、かつ、通気性およびデザイン性も向上できる。
【００７３】
第１バンドおよび第２バンドの先端部の形状は、前記各実施形態に限定されない。例えば、図１６に示す時計バンド９０のように、第１バンド９１および第２バンド９２の先端部９１１、９２１を、幅寸法が先端に向かうしたがって小さくなるように形成してもよい。この際、各先端部９１１、９２１は、互いに干渉しないように、第１バンド９１および第２バンド９２の長手方向および幅方向に対して斜めに形成された傾斜面９１１Ａ、９２１Ａを有し、各傾斜面９１１Ａ、９２１Ａが互いに対向して略平行となるように形成されている。
このような時計バンド９０は、各バンド９１、９２の先端部９１１、９２１をバンド９１、９２の長手方向においてオーバーラップさせることができる。このため、時計バンド９０は、装着者の手首に接触する面積が広くなり、時計の保持力を向上できる。
【００７４】
また、図１７に示す時計バンド９５のように、第１バンド９６および第２バンド９７を螺旋状に形成し、各バンド９６、９７の先端部９６１、９７１の位置を、バンド９６、９７の幅方向にずらして配置してもよい。
このような時計バンド９５によれば、時計バンド９０と同様に、各バンド９６、９７の先端部９６１、９７１を、バンド９６、９７の長手方向においてオーバーラップさせることができ、時計の保持力を向上できる。
【００７５】
第１実施形態の時計１は、第１バンド１１および第２バンド１２を時計ケース１０１と別体に構成していたが、時計ケース１０１と、第１バンド１１および第２バンド１２とを金属ガラスで一体に形成してもよい。すなわち、時計ケース１０１に一体に形成される第１バンド１１および第２バンド１２は、非装着時には湾曲せずに直線状に設けられるように形成してもよい。この場合、永久磁石や、突起および穴などの連結装置を設けることで、手首に装着する際に、第１バンド１１および第２バンド１２を湾曲させて連結すれば良い。
【００７６】
また、図６〜１７に示す時計ケースと時計バンドとが一体に形成された場合の時計バンドで採用された各構造は、図１〜５に示す時計ケースと別体の時計バンドに適宜採用してもよい。例えば、第１、２実施形態の時計バンド１０、２０の先端部１１２、１２２、２１２、２２２を、時計バンド５０と同様の厚肉部としてもよい。さらに、各時計バンド１０、２０の表面や裏面に溝６３、６４や凸部７３、７４を形成してもよい。また、各時計バンド１０、２０を、時計バンド８０、８５、９０、９５と同様の構成としてもよい。
さらに、時計ケースと別体の時計バンドとして、第４実施形態の時計バンド４０のように、時計ケースの１２時側または６時側の一方のみに取り付けられる一枚タイプの時計バンドを用いてもよい。
また、前記各実施形態では、時計ケースと裏蓋とは別体に形成していたが、時計ケースと裏蓋とを一体に形成したワンピースタイプの時計ケースを採用してもよい。ワンピースタイプの時計ケースを採用すれば、防水性能を向上でき、ケース本体と裏蓋との接続部分の段差も無くすことができるため、手首に装着した際のフィット感を向上できる。なお、ワンピースタイプの時計ケースでは、ムーブメントを時計ケースの表面側の開口から配置するため、文字板は時計ケースと別体で構成する必要がある。
【００７７】
時計バンドや時計用外装部品の製造方法としては、金属ガラスを材料とする製造方法であればよく、製造する製品の構造などに応じて適切な製造方法を採用すれば良い。
また、前記時計バンドや時計用外装部品を用いた時計は、時刻を表示する機能に加えて他の機能を備えるものでもよい。例えば、温度、湿度、気圧、紫外線、光等を測定する環境センサーを備え、これらの環境センサーの計測値を、指針やデジタル表示装置で指示できる機能を備えるものでもよい。また、時計を装着した装着者の体の動きや、体温、血圧、心拍数などを測定するセンサーを備え、これらのセンサーの計測値を、指針やデジタル表示装置で指示できる機能を備えるものでもよい。さらに、スマートフォンなどの他のデバイスとの通信機能を備え、通信状態や通信内容を指針やデジタル表示装置で指示できる機能を備えるものでもよい。
【符号の説明】
【００７８】
１…時計、１０…時計バンド、１０１…時計ケース、１０２…カン、１１…第１バンド、１１１…基端部、１１２…先端部、１１３…中間部、１２…第２バンド、１２１…基端部、１２２…先端部、１２３…中間部、１３０…連結装置、１３１、１３２…永久磁石、１４０…連結装置、１４１…突起、１４２…係合孔、２…時計、２０…時計バンド、２１…第１バンド、２１１…基端部、２１２…先端部、２１３…中間部、２２…第２バンド、２２１…基端部、２２２…先端部、２２３…中間部、３…時計、３０…時計バンド、３００…時計用外装部品、３０１…時計ケース、３０２…ケース本体、３０３…文字板、３０３Ａ…貫通孔、３０５…カバーガラス、３０６…裏蓋、３１…第１バンド、３１１…基端部、３１２…先端部、３１３…中間部、３２…第２バンド、３２１…基端部、３２２…先端部、３２３…中間部、３５０…ムーブメント、３５１…指針軸、３５２…指針、４…時計、４０…時計バンド、４００…時計用外装部品、４０１…時計ケース、４０２…ケース本体、４０３…文字板、４１…バンド、４１１…基端部、４１２…先端部、４１３…中間部、５…時計、５０…時計バンド、５００…時計用外装部品、５０１…時計ケース、５０２…ケース本体、５０３…文字板、５１…第１バンド、５１１…基端部、５１２…先端部、５１３…中間部、５２…第２バンド、５２１…基端部、５２２…先端部、５２３…中間部、６…時計、６０…時計バンド、６００…時計用外装部品、６０１…時計ケース、６０２…ケース本体、６０３…文字板、６０Ｂ…時計バンド、６１…第１バンド、６１１…基端部、６１２…先端部、６１３…中間部、６１Ｂ…第１バンド、６２…第２バンド、６２１…基端部、６２２…先端部、６２３…中間部、６２Ｂ…第２バンド、６３…溝、６４…溝、６Ｂ…時計、７…時計、７０…時計バンド、７００…時計用外装部品、７０１…時計ケース、７０２…ケース本体、７１…第１バンド、７２…第２バンド、７３…凸部、７４…凸部、８０…時計バンド、８１…第１バンド、８２…第２バンド、８３…穴、８５…時計バンド、８６…第１バンド、８７…第２バンド、８８…穴、９０…時計バンド、９１…第１バンド、９１１…先端部、９１１Ａ…傾斜面、９２…第２バンド、９２１…先端部、９２１Ａ…傾斜面、９５…時計バンド、９６…第１バンド、９６１…先端部、９７…第２バンド、９７１…先端部。
【図１】
2020062190.tif 000003
【図２】
2020062190.tif 000004
【図３】
2020062190.tif 000005
【図４】
2020062190.tif 000006
【図５】
2020062190.tif 000007
【図６】
2020062190.tif 000008
【図７】
2020062190.tif 000009
【図８】
2020062190.tif 000010
【図９】
2020062190.tif 000011
【図１０】
2020062190.tif 000012
【図１１】
2020062190.tif 000013
【図１２】
2020062190.tif 000014
【図１３】
2020062190.tif 000015
【図１４】
2020062190.tif 000016
【図１５】
2020062190.tif 000017
【図１６】
2020062190.tif 000018
【図１７】
2020062190.tif 000019